(57)【要約】【課題】  使用するドライクリーニング用洗濯機や当該洗濯機を用いて、ドライ溶剤を清潔に保ち、ベースタンクの定期的な洗浄を延長し、カートリッジフィルターの寿命を延長し、さらに洗濯した衣類から発生する悪臭を低減することができ、作業者への作業環境を改善し得る、ドライクリーニング用洗浄剤組成物、および該組成物を用いたドライクリーニング方法を提供すること。【解決手段】  ドライクリーニング用洗浄剤組成物、および該組成物を用いたドライクリーニング方法を開示する。本発明のドライクリーニング用洗浄剤組成物は、全体重量を基準として、１０重量％から８０重量％の界面活性剤と、５重量％から４０重量％の水と、０．１重量％から５０重量％の有機酸および／または無機酸とを含有し、ｐＨが２から５である。【選択図】なし【特許請求の範囲】
【請求項１】
全体重量を基準として、１０重量％から８０重量％の界面活性剤と、５重量％から４０重量％の水と、０．１重量％から５０重量％の有機酸および／または無機酸とを含有し、ｐＨが２から５である、ドライクリーニング用洗浄剤組成物。
【請求項２】
前記界面活性剤が、非イオン系界面活性剤である、請求項１に記載のドライクリーニング用洗浄剤組成物。
【請求項３】
前記有機酸および／または無機酸が、乳酸、クエン酸、リンゴ酸、ギ酸、シュウ酸、酢酸、グルコン酸、酒石酸、フマル酸、アジピン酸、プロピオン酸、ソルビン酸、カプロン酸、カルボン酸類、スルホン酸類、リン酸、塩酸および硫酸からなる群から選択される少なくとも１種の酸である、請求項１または２に記載のドライクリーニング用洗浄剤組成物。
【請求項４】
前記有機酸および／または無機酸として、乳酸が含有されている、請求項３に記載のドライクリーニング用洗浄剤組成物。
【請求項５】
ドライクリーニング用洗浄液であって、全体重量に対し、
０．２重量％から１０重量％の請求項１から４のいずれかに記載のドライクリーニング用洗浄剤組成物、および９０重量％から９９．８重量％の溶剤を含有し、ｐＨが３．５から５．５である、洗浄液。
【請求項６】
ドライクリーニング方法であって、洗濯機内で衣類を、請求項５に記載のドライクリーニング用洗浄液で洗浄する工程、を包含する、方法。
【発明の詳細な説明】
【技術分野】
【０００１】
本発明は、ドライクリーニング用洗浄剤組成物、および該組成物を用いたドライクリーニング方法に関し、より詳細にはドライクリーニング用洗濯機および当該洗濯機を用いて、高い洗浄力を保持したまま、ドライ溶剤・ベースタンクを清潔に保ち、カートリッジフィルターの交換寿命を延長し、作業者の作業環境を改善しつつ、洗濯した衣類からの悪臭の発生を抑制し得る、ドライクリーニング用洗浄剤組成物、および該組成物を用いたドライクリーニング方法に関する。
【背景技術】
【０００２】
従来のドライクリーニング用洗浄剤では、ドライクリーニング用洗濯機や洗濯した衣類から悪臭が発生することがしばしば報告されている。悪臭の発生は、ドライクリーニングを実施する作業者の作業環境だけでなく、洗濯した衣類の安全性に悪影響を及ぼすと考えられる。悪臭の原因は、ドライクリーニング用洗濯機のベースタンクやカートリッジフィルターに堆積した水分や汚れ成分が、雑菌等の影響により腐敗化することと考えられている。
【０００３】
溶剤にドライクリーニング用洗浄剤を配合したドライクリーニング溶剤を清潔に保持するためには、いくつかの試みとして、例えば、（１）カートリッジフィルターの定期的な交換、（２）ベースタンクの定期的な洗浄、（３）酸価、色相などを確認することによる溶剤管理、（４）抗菌剤配合ドライクリーニング用洗浄剤（以下ドライソープ）の使用などが挙げられる。
【０００４】
上記（１）〜（４）のうち、（１）、（２）および（３）は、衣類のクリーニングを行う上で悪臭や雑菌への影響のみならず、衣類をきれいに洗浄するためには、必要不可欠な作業であり、定期的に実施することが所望される。
【０００５】
しかし、抗菌剤配合ドライソープは、使用当初は抗菌効果により雑菌を抑制することができるが、ドライクリーニング用洗濯機内の雑菌が耐性菌となった場合、当該効果が充分なものとはならず、さらに強力な抗菌剤を使用しなくてはならないことが懸案として挙げられる。また、強力な抗菌剤を使用すると、石油系ドライクリーニングを作業する作業者に手荒れが発生したり、健康にも悪影響を及ぼす危険性が考えられる。
【発明の概要】
【発明が解決しようとする課題】
【０００６】
本発明は、上記問題の解決を課題とするものであり、その目的とするところは、使用するドライクリーニング用洗濯機や当該洗濯機を用いて、ドライ溶剤を清潔に保ち、ベースタンクの定期的な洗浄を延長し、カートリッジフィルターの寿命を延長し、さらに洗濯した衣類から発生する悪臭を低減することができ、作業者への作業環境を改善し得る、ドライクリーニング用洗浄剤組成物、および該組成物を用いたドライクリーニング方法を提供することにある。
【課題を解決するための手段】
【０００７】
本発明は、全体重量を基準として、１０重量％から８０重量％の界面活性剤と、５重量％から４０重量％の水と、０．１重量％から５０重量％の有機酸および／または無機酸とを含有し、ｐＨが２から５である、ドライクリーニング用洗浄剤組成物である。
【０００８】
１つの実施形態では、上記界面活性剤は非イオン系界面活性剤である。
【０００９】
１つの実施形態では、上記有機酸および／または無機酸は、乳酸、クエン酸、リンゴ酸、ギ酸、シュウ酸、酢酸、グルコン酸、酒石酸、フマル酸、アジピン酸、プロピオン酸、ソルビン酸、カプロン酸、カルボン酸類、スルホン酸類、リン酸、塩酸および硫酸からなる群から選択される少なくとも１種の酸である。
【００１０】
１つの実施形態では、上記有機酸および／または無機酸として、乳酸が含有されている。
【００１１】
本発明はまた、ドライクリーニング用洗浄液であって、全体重量に対し、
０．２重量％から１０重量％の上記ドライクリーニング用洗浄剤組成物、および９０重量％から９９．８重量％の溶剤を含有し、ｐＨが３．５から５．５である、洗浄液である。
【００１２】
本発明はまた、ドライクリーニング方法であって、洗濯機内で衣類を、上記ドライクリーニング用洗浄液で洗浄する工程、を包含する、方法である。
【発明の効果】
【００１３】
本発明によれば、ドライクリーニング用洗濯機や当該洗濯機を用いて洗濯した衣類からの不快な悪臭の発生を抑制することができる。当該悪臭の発生は、一連のドライクリーニングの作業を通じて行うことができ、特に悪臭除去のための追加作業等を必要としない。さらに、本発明のドライクリーニング用洗浄剤組成物は、高い洗浄力を保持したまま、ドライ溶剤が汚れにくく（ドライ溶剤の透過性を保つことが可能）、ドライクリーニング用洗濯機に使用するカートリッジフィルターが粘着性の高い汚れにより、フィルター圧が上がることを低減することができる。これにより、当該フィルター自体の交換時期を延長することができ、使用効率性を向上させることができる。さらに、本発明のドライクリーニング用洗浄剤組成物は、人体に対する悪影響が回避され、手荒れなどの作業者への負担も軽減することができる。
【発明を実施するための形態】
【００１４】
以下、本発明について詳述する。
【００１５】
（ドライクリーニング用洗浄剤組成物）
本発明のドライクリーニング用洗浄剤組成物は、界面活性剤と、水と、有機酸および／または無機酸を含有する。
【００１６】
本明細書において、用語「ドライクリーニング用洗浄剤組成物」は、後述するようなドライクリーニング溶剤と混合されることにより、ドライクリーニング専用に開発された洗濯機（以下、ドライクリーニング用洗濯機）にて衣類等の洗濯物の洗浄を行うことができる組成物を指して言い、一般家庭で使用する水系の洗濯洗浄剤とは区別される。
また、本明細書における「衣類」とは、ドライクリーニングにおいて洗濯され得る任意の洗濯物を包含し、例えば、スーツ、ズボン、スカート、Ｙシャツ、ブラウス、コート、皮革の他、ネクタイ、ハンカチ、毛布、布団、その他の布製品が挙げられる。
【００１７】
本発明の洗浄剤組成物を構成する界面活性剤は、従来のドライクリーニング用洗浄剤組成物に使用され得るものであれば特に限定されず、非イオン系界面活性剤、カチオン系界面活性剤、アニオン系界面活性剤、および両性イオン系界面活性剤ならびにそれらの組合せのいずれが用いられてもよい。特に衣類への吸着量が低いという理由から非イオン系界面活性剤を用いることが好ましい。界面活性剤のさらに具体的な１つの例としては、ポリオキシエチレンアルキルエーテル、ポリオキシアルキレンアルキルエーテル、ポリオキシエチレン脂肪酸エステル、ポリオキシエチレンアルキルフェニルエーテル、多価アルコール脂肪酸エステル、ポリオキシエチレン多価アルコール脂肪酸エステル、脂肪酸アルキロールアマイド、ショ糖脂肪酸エステル、ハロゲン化トリメチルアミノエチルアルキルアミド、アルキルピリジニウム硫酸塩、ハロゲン化アルキルトリメチルアンモニウム、アルキル硫酸エステル塩、オレフィン硫酸エステル塩、アルキルベンゼンスルホン酸塩、アルキルナフタレンスルホン酸塩、オレイン酸アミドスルホン酸塩、ジアルキルスルホコハク酸塩、およびアルキルトリメチルアミノ酢酸、アルキルジエチレントリアミノ酢酸、ならびにこれらの組合せが挙げられる。
【００１８】
本発明のドライクリーニング用洗浄剤組成物において、上記界面活性剤は、全体重量を基準として、１０重量％〜８０重量％、好ましくは２０重量％〜６０重量％の割合で含有されている。界面活性剤の含有量が、１０重量％を下回ると、従来のドライクリーニング用洗浄剤組成物と比較して充分な洗浄効果を保持することが困難となる場合がある。界面活性剤の含有量が、８０重量％を上回ると、従来のドライクリーニング用洗浄剤組成物と比較して、洗浄効果にそれ以上の変化は見られず、むしろ当該洗浄剤組成物の製造コストを上昇させるのみである。
【００１９】
本発明の洗浄組成物を構成する水は、例えば、水道水、蒸留水、イオン交換水、純水のいずれであってもよい。
【００２０】
本発明のドライクリーニング用洗浄剤組成物において、上記水は、全体重量を基準として、５重量％〜４０重量％の割合で含有されている。当該水の含有量がこのような範囲を満足することにより、洗浄剤組成物中に一緒に含有される有機酸および／または無機酸を適切に溶解かつ分散させることができる。
【００２１】
本発明の洗浄剤組成物を構成する有機酸としては、例えば、Ｄ−乳酸、Ｌ−乳酸、Ｄ，Ｌ−乳酸などの乳酸；クエン酸；リンゴ酸；ギ酸；シュウ酸；酢酸；グルコン酸；酒石酸；フマル酸；アジピン酸；プロピオン酸；ソルビン酸；カプロン酸；カルボン酸類およびスルホン酸類；ならびにそれらの組合せが挙げられる。本発明の洗浄剤組成物を構成する無機酸としては、例えば、リン酸、塩酸および硫酸、ならびにそれらの組合せが挙げられる。本発明において、有機酸と無機酸とは混合して使用されてもよい。有機酸と無機酸とが混合される場合、その混合割合は特に限定されず、当業者によって任意の混合割合が採用され得る。
【００２２】
本発明においては、ドライクリーニング用洗濯機および当該洗濯機を用いて洗濯した衣類における悪臭の発生をより効果的に低減することができ、ドライ溶剤を清潔に保つことが可能で、組成物やドライ洗浄液が必要とするｐＨ領域に調整できることや保持することが可能であるという理由から、Ｄ−乳酸、Ｌ−乳酸、Ｄ，Ｌ−乳酸などの乳酸を用いることが好ましく、Ｌ−乳酸が特に好ましい。Ｌ−乳酸は例えば、発酵を通じて入手可能である。
【００２３】
本発明のドライクリーニング用洗浄剤組成物において、上記有機酸および／または無機酸は、全体重量を基準として、０．１重量％〜５０重量％、好ましくは３重量％〜１５重量％の割合で含有されている。有機酸および／または無機酸の含有量が、０．１重量％を下回ると、後述するようなドライクリーニング用洗浄液に調製した後、洗濯機および当該洗濯機を用いて洗濯した衣類から発生する悪臭を充分に低減することが困難となるおそれがある。有機酸および／または無機酸の含有量が、５０重量％を上回ると、洗濯機および当該洗濯機を用いて洗濯した衣類から発生する悪臭の低減効果にそれ以上の変化は見られず、むしろ酸性物質が多くなりすぎ、洗浄力の低下が発生したり、ドライ溶剤の透過率の悪化が発生したり、ドライクリーニング用洗濯機自体が腐蝕するおそれがある。
【００２４】
本発明のドライクリーニング用洗浄剤組成物はまた、上記界面活性剤ならびに有機酸および／または無機酸による上記本発明の効果を阻害しない程度において、他の成分を含有していてもよい。ただし、ドライクリーニング作業従事者の安全性・健康を配慮すると、当該他の成分は使用しないか、あるいはその使用量は極力低減することが望ましい。
【００２５】
本発明を構成し得る他の成分の例としては、他の抗微生物剤；乳酸以外のカルボン酸類；１級〜３級アミン、エトキシル化アミン、アミンオキシド、アミド、ベタインなどの窒素含有化合物；帯電防止剤；粘度調整剤；泡調整剤；溶解促進剤；可溶化剤；防錆剤；などが挙げられる。
【００２６】
他の抗微生物剤の例としては、ｏ−フェニルフェノール、ブロモニトロプロパンジオール（ブロノポール）、トリス（ヒドロキシメチル）ニトロメタン、シリコーン第四級アンモニウム塩（オクタデシルアミノジメチルトリメトキシシリルプロピルアンモニウムクロリド）、銀ゼオライト、ベンゾイミダゾール、２−（４−チアゾリル）、ヒノキチオール、プロペンニトリル、トリクロサン（２，４，４’−トリクロロ−２’ヒドロキシジフェニルエーテル、シクロプロピル−Ｎ’−（１，１−ジメチルエチル）−６−（メチルチオ）−１，３，５−トリアジン−２，４−ジアミン、酸化亜鉛、ベンゾイミダゾール、２−（４−チアゾリル）−２，６−ジメチル−１，３−ジオキサン−４−オール酢酸塩、１−アザ−３，７−ジオキサ−５−エチル−ビシクロ−（３，３，０）−オクタン、２−ブロモ−２−ニトロ−１，３−プロパンジオール、２−（ヒドロキシメチル）−２−ニトロ−１，３−プロパンジオール、プロパンジアミド、２，２−ジブロモ−２，４，４’−トリクロロ−２−ヒドロキシジフェニルエーテル、４，４’−ジクロロ−２−ヒドロキシジフェニルエーテル、およびテトラキス（ヒドロキシメチル）ホスホニウムサルフェート、乳酸誘導体（Ｃ１〜Ｃ４の直鎖または分岐アルキル基を有する乳酸アルキルエステル（例えば、乳酸メチル、乳酸エチル、乳酸ブチル））ならびにこれらの組合せが挙げられる。
【００２７】
本発明において、上記他の成分の含有量は特に限定されず、上記界面活性剤ならびに有機酸および／または無機酸による上記本発明の効果を阻害しない程度において適切な添加量が当業者によって選択され得る。
【００２８】
さらに、本発明のドライクリーニング用洗浄剤組成物は、上記水と、有機酸および／または無機酸とを含有することにより、酸性側のｐＨ、すなわち２〜５、好ましくは３〜４．８のｐＨを有する。このように、本発明の洗浄剤組成物はこのようなｐＨ範囲の酸性を呈することにより、洗浄液に調製した際に、ドライクリーニング用洗濯機や当該洗濯機を用いて洗濯した衣類からの不快な悪臭の発生を抑制することができる。さらに、ドライ溶剤の透過性を保ち、かつドライクリーニング用洗濯機に使用するカートリッジフィルターへの粘着成分の付与を低減することができる。
【００２９】
本発明のドライクリーニング用洗浄剤組成物は、上記界面活性剤と、水と、有機酸および／または無機酸と、必要に応じて上記他の成分とを当業者に公知の方法により混合することによって製造することができる。
【００３０】
（ドライクリーニング用洗浄液）
次に、本発明のドライクリーニング用洗浄液について説明する。
【００３１】
本発明のドライクリーニング用洗浄液は、上記本発明のドライクリーニング用洗浄剤組成物と溶剤とを含有する。
【００３２】
本発明のドライクリーニング用洗浄液を構成する上記洗浄剤組成物の含有量は、必ずしも限定されないが、当該洗浄液の全体重量を基準として、例えば、０．２重量％〜１０重量％、好ましくは０．５重量％〜１重量％である。上記洗浄液中における洗浄剤組成物の含有量が、０．２重量％を下回ると、洗濯機内で衣類に対し充分な洗浄効果を奏することができないだけでなく、洗濯機および当該洗濯機を用いて洗濯した衣類から発生する悪臭を充分に低減することが困難となるおそれがある。また、ドライクリーニングを行う上でドライ溶剤の爆発を防止するために必要なドライ溶剤の帯電性を保てなくなる可能性がある。上記洗浄液中における洗浄剤組成物の含有量が、１０重量％を上回ると、洗浄効果および悪臭の発生の抑制効果においてそれ以上の変化は見られず、また、ドライクリーニングした衣類にシワや縮みなどの悪影響が起こる可能性もある。むしろ当該洗浄液調製に要するコストを上昇させるのみである。
【００３３】
本発明のドライクリーニング用洗浄液を構成する溶剤は、従来のドライクリーニング用溶剤として使用される有機溶媒である。必ずしも限定されないが、溶剤の例としては、石油系溶剤が挙げられる。石油系溶剤の具体的な例としては、パラフィン系炭化水素（例えば、１２０℃〜２２０℃の沸点を有するもの）、ナフテン系炭化水素、および芳香族系炭化水素、ならびにそれらの組合せが挙げられる。本発明のドライクリーニング用洗浄液を構成する上記溶剤の含有量は、必ずしも限定されないが、当該洗浄液の全体重量を基準として、例えば、０．２重量％〜１０重量％、好ましくは０．５重量％〜１重量％である。
【００３４】
本発明のドライクリーニング用洗浄液では、上記本発明の洗浄剤組成物が水を含有しているため、汗などの水系洗浄によって洗い落とすことができる親水性の汚れも除去することができる。
【００３５】
ドライクリーニング用洗浄液はまた、上記のように当該水を含有することによって、洗浄液の繰り返し利用すること、あるいはドライクリーニング用洗濯機内の所定の場所に水が残留することによって細菌等が増殖し、これが悪臭を発生させる原因となっていることが考えられる。しかし、本発明によれば、上記の通り洗浄剤組成物として有機酸および／または無機酸を含有することにより、有機酸および／または無機酸は、水中に存在し、当該細菌等の増殖を阻止するものと考えられる。これにより、悪臭を発生させる原因を根本から排除するため、従来と比較して悪臭の発生を著しく低減させることができる。
【００３６】
ここで、本発明のドライクリーニング用洗浄液においては、上記有機酸および／または無機酸を効果的に機能させるために、上記水の添加によって、洗浄液全体のｐＨが、３．５〜５．５、好ましくは、４．２〜４．８となるように調整されることが好ましい。上記洗浄液中におけるｐＨが３．５未満であると、現実的に調整が困難となり、ドライクリーニング用洗濯機の腐蝕が発生するおそれがある。上記洗浄液中におけるｐＨが、５．５を上回ると、洗濯機および当該洗濯機を用いて洗濯した衣類から発生する悪臭を充分に低減することが困難となったり、ドライ溶剤の清潔性を保てなくなるおそれがある。
【００３７】
本発明のドライクリーニング用洗浄液は、その他の洗浄添加剤を含有していてもよい。このような洗浄添加剤の例としては、洗浄強化剤、油溶性前処理剤、水溶性前処理剤、粘度調整剤、防錆剤、泡調整剤、可溶化剤、帯電防止剤、風合い改良剤などが挙げられる。本発明のドライクリーニング用洗浄液における、洗浄添加剤の含有量は特に限定されず、上記本発明の効果を阻害しない程度において適切な添加量が当業者によって選択され得る。
【００３８】
本発明のドライクリーニング用洗浄液は、上記本発明のドライクリーニング用洗浄剤組成物、溶剤、および水、ならびに必要に応じて洗浄添加剤を当業者に公知の方法により混合することによって調製することができる。あるいは、後述するようなドライクリーニングの際に、洗濯機内に、本発明のドライクリーニング用洗浄剤組成物、溶剤、および水、ならびに必要に応じて洗浄添加剤を任意の順序にて仕込むことにより調製してもよい。
【００３９】
（ドライクリーニング方法）
本発明では、従来のドライクリーニング用洗濯機内に、上記ドライクリーニング用洗浄液と衣類とが仕込まれ、洗浄が行われる。衣類とドライクリーニング用洗浄液との量比は、特に限定されえず、ドライクリーニングのための適切な条件（洗濯条件）が当業者によって設定され得る。
【００４０】
ドライクリーニングの終了後、衣類が適切な方法によって当該洗濯機から取り出され、その後の加工が行われる。一方、洗濯機内のドライクリーニング用洗浄液もまた、当業者に公知の方法によって取り出され、必要に応じ濾過などの作業が行われ、所定の回数にわわたって繰り返し使用され得る。
【００４１】
最終的に使用済みのドライクリーニング用洗浄液は、法令に定められた処分方法に従って回収かつ廃棄され得る。
【実施例】
【００４２】
以下、実施例を挙げて本発明を詳細に説明するが、本発明はこれらの実施例に限定されるものではない。
【００４３】
（実施例１：ドライクリーニング洗浄剤組成物の調整）
株式会社ツー・エム化成製「Ｄ−ＢＳ」を基本洗剤（ドライソープ）（表１に記載の成分を含有）を容器内に入れ、これに含有量が１０重量％となるように乳酸を添加することにより、ドライクリーニング洗浄剤組成物を作製した。得られた洗浄剤組成物のｐＨをｐＨメータ（株式会社堀場製作所製（型承ＳＳ９７４4号Ｄ−２２）ガラス電極式水素イオン濃度計）で測定したところ、ｐＨは３．８であった。
【００４４】
【表１】
2016102142.tif 000002
【００４５】
次いで、ドライクリーニング洗浄剤組成物１ｍＬ（１．１６重量％に相当）に対し、溶剤（ニューソルデラックスハイソフト（日米礦油株式会社製））９９ｍＬ（９８．８４重量％に相当）を添加して、ドライクリーニング用洗浄液（Ａ１）を調製した。
【００４６】
得られた洗浄液（Ａ１）のｐＨをｐＨメータ（株式会社堀場製作所製（型承ＳＳ９７４4号Ｄ−２２）ガラス電極式水素イオン濃度計）で測定したところ、ｐＨが３．５〜４．２の範囲にあることを確認した。ドライクリーニング洗浄液およびドライ溶剤のｐＨは、ガラス電極式水素イオン濃度計で測定した場合、得られる値がぶれる傾向があることを考慮して、他の水素イオン濃度計（ＭＡＣＨＥＲＥＹ−ＮＡＧＥＬ社製ＰＥＨＡＮＯＮ）を含めて測定した結果、得られた洗浄液（Ａ１）のｐＨが４．２であることを確認した。
【００４７】
（比較例１：ドライクリーニング洗浄剤組成物の調整）
乳酸を添加することなく、株式会社ツー・エム化成製「Ｄ−ＢＳ」をドライクリーニング用洗浄剤組成物とこと以外は、実施例１と同様にして溶剤を添加して、ドライクリーニング用洗浄液（Ｂ１）を調製した。
【００４８】
なお、上記洗浄剤組成物のｐＨを実施例１と同様にして測定したところ、ｐＨは７．８であった。さらに、得られた洗浄液（Ｂ１）のｐＨを実施例１と同様にして測定したところ、ｐＨは７．６であった。
【００４９】
（実施例２：ドライクリーニングによる衣類および洗濯機の悪臭の評価）
ドライクリーニング用洗濯機（株式会社ＴＯＳＥＩ製１６ｋｇ型番ＷＷ−１６０））に、試験衣類スーツ、ズボン、スカート、Ｙシャツ、ブラウス、コート、皮革の他、ネクタイ、ハンカチ、毛布、布団、その他の布製品（衣類は白色から黒色までの種々の色彩を有していた。また、布製品の生地としては、動物繊維（毛・絹）、植物繊維（綿・麻）、再生繊維（レーヨン・キュプラ等）、半合成繊維（アセテート）、合成繊維（ポリエステル・ナイロン・アクリル等）などが含まれていた。）１０ｋｇを入れ、実施例１で得られた洗浄液（Ａ１）３００ｍＬをさらに添加した。当該洗濯機を、バッチ５分、脱液１分、フィルター循環５分、脱液５分の各条件にて稼働させ、衣類の洗濯を行った。次いで、衣類を取り出し、洗浄液（Ａ１）を再度300ｍＬ投入し、別の試験衣類１０ｋｇを入れ、同様の洗濯条件で衣類の洗濯を行った。このような洗濯を４７０回行った。
【００５０】
上記洗濯を繰り返すにあたり、洗浄液（Ａ１）のｐＨを上記と同様にして測定したところ、ｐＨは４．２〜４．８の間を推移した。また、この際の酸価を酸化測定試薬（品川化成株式会社製）使用し、測定に際し投入したドライクリーニング洗浄剤組成物に含まれる有機酸・無機酸の影響による変化は補正して算出することにより確認した結果、ほぼ０．１のままであった（なお、使用した洗濯機のフィルターの交換目安は０．３以上の酸価を示す場合である）。さらに上記一連の洗濯の終了後、残った洗浄液（Ａ１）の透過率を、透過率測定器（ＭＩＬＴＯＮ社製ＳＰＥＣＴＲＯＮＩＮＣ  ２０Ｄ＋（波長４２０ｎｍ）を用いて測定した。得られた透過率は８５．２％であり、高い数値を示した（なお、使用した洗濯機のフィルターの交換目安は６０％以下の透過率を示す場合である）。
【００５１】
上記において最後に行った衣類を乾燥させ、ドライクリーニングに従事する専門家１０名により、衣類における悪臭の有無を自らの嗅覚にて判断した。当該専門家のいずれからも衣類から悪臭を感じることはなかった。
【００５２】
また、上記にて使用した洗濯機から、使用したドライクリーニング洗浄液をすべて抜き出し、洗濯機内の悪臭の有無を、ドライクリーニングに従事する上記専門家により、自らの嗅覚にて判断した。当該専門家のいずれからも洗濯機内に悪臭の発生を感じることはなかった。
【００５３】
さらに、上記にて使用した洗濯機から、洗浄液の浄化に使用するカートリッジフィルターを取り出し、当該フィルターの表面状態を、ドライクリーニングに従事する上記専門家により、自らの視覚にて判断した。当該専門家のいずれからも、フィルターに付着する汚れは少なく、まだ交換時期にはない状態であることを確認した。
【００５４】
またさらに、上記洗濯の繰り返しを通じ、上記洗濯機を用いた作業者の手の表面状態をドライクリーニングに従事する上記専門家により自らの視覚にて判断した。作業者の手には手荒れがないことを確認した。
【００５５】
（比較例２：ドライクリーニングによる衣類および洗濯機の悪臭の評価）
実施例１で得られた洗浄液（Ａ１）の代わりに、比較例１で得られた洗浄液（Ｂ１）を用いたこと以外は、実施例１と同様にしてドライクリーニング用洗濯機で、試験衣類の洗濯を行った。実施例１と同様にして、洗浄液はそのままにして繰り返し試験衣類の洗浄を３２０回行った。
【００５６】
上記洗濯を繰り返すにあたり、洗浄液（Ｂ１）のｐＨを上記と同様にして測定したところ、ｐＨは６．５〜８．０の間を推移した。また、上記一連の洗濯の終了後、残った洗浄液（Ｂ１）の酸価を実施例２と同様にして確認した結果、０．３であった（なお、使用した洗濯機のフィルターの交換目安は０．３以上の酸価を示す場合である）。さらに残った洗浄液（Ｂ１）の透過率を実施例２と同様にして確認した。得られた透過率は７２．２％であった（なお、使用した洗濯機のフィルターの交換目安は６０％以下の透過率を示す場合である）。
【００５７】
上記において最後に行った衣類を乾燥させ、ドライクリーニングに従事する専門家１０名により、実施例１と同様にして、衣類における悪臭の有無を自らの嗅覚にて判断した。当該専門家のいずれからも衣類からわずかに悪臭が発生していることを感じた。
【００５８】
また、上記にて使用した洗濯機から、使用したドライクリーニング洗浄液をすべて抜き出し、洗濯機内の悪臭の有無を、ドライクリーニングに従事する上記専門家により、自らの嗅覚にて判断した。当該専門家のいずれからも、洗濯機内でわずかに悪臭の発生を感じた。
【００５９】
さらに、上記にて使用した洗濯機から、洗浄液の浄化に使用するカートリッジフィルターを取り出し、当該フィルターの表面状態を、ドライクリーニングに従事する上記専門家により、自らの視覚にて判断した。フィルターには汚れは付着し、次の洗濯に使用することは困難であり、交換すべき時期にあることを確認した。
【００６０】
またさらに、上記洗濯の繰り返しを通じ、上記洗濯機を用いた作業者の手の表面状態をドライクリーニングに従事する上記専門家により自らの視覚にて判断した。作業者の手には手荒れが見られ、洗浄液（Ｂ１）を用いた上記洗濯の繰り返しは、作業者への身体的な負担が大きいことを確認した。
【００６１】
（実施例３〜７および比較例３）
株式会社ツー・エム化成製「Ｄ−ＢＳ」を基本洗剤（ドライソープ）（表１に記載の成分を含有）１００重量部をこのまま使用するもの（比較例３）、およびこれに乳酸をそれぞれ２．５重量部ずつ増加して添加したもの（実施例３〜７）を調製し、各洗浄剤組成物を得た。各洗浄剤組成物のｐＨを実施例１と同様にして測定した。
【００６２】
得られた洗浄剤組成物に、それぞれ実施例１と同様にして溶剤を添加して、ドライクリーニング用洗浄液を調製した。各洗浄液のｐＨを実施例１と同様にして測定した。
【００６３】
次いで、得られたドライクリーニング用洗浄液を用い、Ｌａｕｎｄｒｙ−Ｏ−Ｔｏｍｅｔｅｒ（ステンレス玉１０個）にて試験汚染布ＥＭＰＡ１０７（ウール 汚れ成分カーボンブラック・オリーブオイル）３枚を、１５℃で１５分間の洗浄を行い、その後、ニューソルデラックスハイソフト新液（透過率１００％）にて５分間の濯ぎを行った。
【００６４】
各試験汚染布の洗浄率（％）をＲＥＦＬＥＣＴ ＭＥＴＥＲ ＴＣ−６Ｄ（有限会社東京電色社製）・標準白度（８０．２％）にて反射率を測定することにより得た。
【００６５】
得られた結果を表２に示す。
【００６６】
上記実施例３〜７で得られた洗浄組成物の代わりに、有機酸や無機酸を含有しない従来のドライクリーニング用洗浄剤（株式会社ツー・エム化成製ＣＳソープ）を用いたこと以外は、上記実施例３〜７と同様にして洗浄液を調製し、試験汚染布による洗浄を行い、洗浄率および洗浄液の透過率をそれぞれ測定した。得られた結果を表２に示す。
【００６７】
【表２】
2016102142.tif 000003
【００６８】
表２に示すように、実施例３〜８で作製した洗浄剤組成物から得られた洗浄液はいずれも、比較例３および４のものと比較して、洗浄液の透過率が高い値を示した。その一方で、実施例３〜８で得られた洗浄率は、比較例３および４のものと比較して特段大きな差異がなく、洗浄性能は充分維持されていたことがわかる。
【産業上の利用可能性】
【００６９】
本発明によれば、ドライクリーニング用洗濯機や当該洗濯機を用いて洗濯した衣類からの不快な悪臭の発生を抑制することができる。また、これに付随して当該洗濯機のドライ溶剤を清潔に保つことが可能となり、カートリッジフィルターの寿命を延長させ、作業者への身体的負担を低減することもできる。本発明は特別な薬剤や装置を使用することなく、例えば、従来のドライクリーニング用洗濯機をそのまま用いることができる点で有用である。